(57)【要約】【課題】コードレスタイプの除湿機において、使い勝手を向上させる。【解決手段】除湿機３０は、電池パック１と、電池パック１が装着される収容部２０と、電池パック１から電力が供給され、取り込んだ空気を除湿する除湿部１９と、除湿部１９の除湿によって発生した水分を貯める貯水部４と、を有している。除湿部１９には、冷却素子３と除湿用ヒートシンク１０とを含む除湿機構部２２が設けられており、除湿用ヒートシンク１０は、冷却素子３によって冷却されて結露し水滴が付着される。貯水部４には、水が溜まる貯水タンク２１が取出し可能に設けられている。電池パック１は、収容部２０に着脱可能に取り付けられる。【選択図】図１
2020195935.tif 000002
【特許請求の範囲】
【請求項１】
筐体と、
繰り返して充電可能な電池パックと、
前記電池パックが取り付けられる収容部と、
前記電池パックから電力が供給され、前記筐体内に空気を取り込むファンと、
前記ファンが取り込んだ空気を除湿する除湿部と、
前記除湿部の除湿によって発生した水分を貯める貯水部と、
を有し、
前記電池パックは、前記収容部に着脱可能に取り付けられる、除湿機。
【請求項２】
前記収容部は、前記貯水部の上方に配置されている、請求項１に記載の除湿機。
【請求項３】
前記貯水部は、前記除湿部で除湿された水が入り込む貯水口を備え、
前記電池パックは、前記貯水口と比べて前記筐体の中心より外側に配置されている、請求項１又は２に記載の除湿機。
【請求項４】
前記電池パックを搭載した状態における前記筐体の重心は、前記貯水部の貯水口よりも前記電池パック側である、請求項１から３のいずれか１項に記載の除湿機。
【請求項５】
前記貯水部は、着脱可能に取り付けられ、
前記電池パックの着脱方向は、前記貯水部の着脱方向と同じ方向もしくは前記除湿機の設置方向に対して交差する方向である、請求項１から４のいずれか１項に記載の除湿機。
【請求項６】
前記ファンが前記筐体内に取り込んだ空気は、前記収容部を通り、前記筐体の外へと排出される、請求項１から５のいずれか１項に記載の除湿機。
【請求項７】
前記収容部と前記除湿部とを隔てる壁部が設けられている、請求項１から６のいずれか１項に記載の除湿機。
【請求項８】
前記壁部は、前記除湿部と前記収容部とを連通する第１通気口を有している、請求項７に記載の除湿機。
【請求項９】
前記電池パックには、第２通気口および第３通気口が形成され、
前記第２通気口は、前記第１通気口から排出された空気を前記電池パック内へ取り込み、
前記第３通気口は、前記第２通気口により前記電池パック内に取り込まれた空気を前記電池パックの外へと排出する、請求項８に記載の除湿機。
【請求項１０】
前記壁部には、第４通気口が形成され、
前記第４通気口は、前記第３通気口から排出された空気を前記筐体内へ取り込む、請求項９に記載の除湿機。
【請求項１１】
前記筐体は、排出口を備えており、
前記ファンによって取り込まれた空気は、前記排出口から外部に排出される、請求項７から１０のいずれか１項に記載の除湿機。
【請求項１２】
前記除湿部は、前記電池パックから電力が供給される冷却素子と、前記冷却素子によって冷却されて水滴が付着するヒートシンクと、前記ヒートシンクに印加される電圧を変換する電圧変換部と、を備えている、請求項１から１１のいずれか１項に記載の除湿機。
【請求項１３】
前記電圧変換部は、電圧変換基板であり、
前記収容部と前記除湿部とを隔てる壁部が設けられ、
前記壁部は、前記除湿部と前記収容部とを連通する第１通気口を有しており、
前記電圧変換基板は、前記ヒートシンクと前記第１通気口との間に配置されている、請求項１２に記載の除湿機。
【請求項１４】
前記筐体の空気を取り込む吸入口から前記空気を外部に排出する排出口に至る空気経路に脱臭部材が設けられている、請求項１３に記載の除湿機。
【請求項１５】
前記電池パックは、電動工具用の電池パックである、請求項１から１４のいずれか１項に記載の除湿機。
【発明の詳細な説明】
【技術分野】
【０００１】
本発明は、コードレスタイプの除湿機に関する。
【背景技術】
【０００２】
除湿機のうち、充電式のバッテリーが搭載されたコードレスタイプの除湿機が知られている。
【０００３】
上記除湿機の一例として、特許文献１には、小型・軽量で持ち運びが容易なコードレスタイプの除湿機が記載されている。
【先行技術文献】
【特許文献】
【０００４】
【特許文献１】特開２００３−８９０１１号公報
【発明の概要】
【発明が解決しようとする課題】
【０００５】
上記特許文献１に記載された除湿機は、コードレスタイプであり、充電式のバッテリーが除湿機の本体部に内蔵された構造となっている。
【０００６】
したがって、バッテリーの取り外しができないため、バッテリーが消耗した際には、充電が可能な場所まで除湿機を持ち運ぶ必要があり、除湿機を設置場所に置きっ放しに出来ず、使い勝手が悪いという課題があった。さらに、バッテリー内蔵であるため、バッテリーを交換する際には、除湿機本体ごと交換しなければならないことも課題であった。
【０００７】
また、除湿機の貯水部がバッテリーと同じ高さに配置されているため、貯水部の水が溢れた場合、バッテリーに水が付着する可能性があり、バッテリーを故障させる懸念があった。
【０００８】
本発明の目的は、コードレスタイプの除湿機において、使い勝手を向上させることである。
【課題を解決するための手段】
【０００９】
本発明の除湿機は、筐体と、繰り返して充電可能な電池パックと、前記電池パックが取り付けられる収容部と、前記電池パックから電力が供給され、前記筐体内に空気を取り込むファンと、前記ファンが取り込んだ空気を除湿する除湿部と、前記除湿部の除湿によって発生した水分を貯める貯水部と、を有し、前記電池パックは、前記収容部に着脱可能に取り付けられる。
【発明の効果】
【００１０】
本発明によれば、コードレスタイプの除湿機において、使い勝手を向上させることができる。
【図面の簡単な説明】
【００１１】
【図１】本発明の実施の形態の除湿機の内部構造を示す断面図である。
【図２】図１に示す除湿機において貯水タンクが満水の状態を示す断面図である。
【図３】図１に示す除湿機の回路ブロック図である。
【図４】図１に示す除湿機において貯水タンクを取り出した状態の構造を示す断面図である。
【図５】図１に示す除湿機において電池パックを取り外した状態の構造を示す断面図である。
【図６】図１に示す除湿機の構造を空気の排出口側から眺めた外観斜視図である。
【図７】図１に示す除湿機の構造を空気の吸入口側から眺めた外観斜視図である。
【図８】図１に示す除湿機における空気経路の一例を示す断面図である。
【図９】本発明の変形例の除湿機の内部構造を示す断面図である。
【発明を実施するための形態】
【００１２】
以下、本実施の形態の除湿機について、図面を参照しながら詳細に説明する。なお、各図面に示される同一または同等の構成要素、部材等には同一の符号を付している。
【００１３】
図１及び図２に示される除湿機３０は、充電式のバッテリーが搭載されたコードレスタイプのものであり、上記バッテリーとして電池パック１が搭載されている。
【００１４】
除湿機３０の構成について説明すると、筐体２３と、電池パック１と、電池パック１が取り付けられる収容部２０と、電池パック１から電力が供給され、取り込んだ空気を除湿する除湿部１９と、除湿部１９の除湿によって発生した水分を貯める貯水部４と、を有している。そして、除湿機３０に搭載される電池パック１は、除湿機３０の収容部２０に着脱可能に取り付けられ、かつ繰り返して充電が可能な二次電池である。なお、電池パック１は、着脱式のバッテリーとして、電動工具にも装着可能なものである。また、電池パック１は、後述する図８に示されるように、内部に複数の電池セル１ｄを収容したケースであり、それぞれの電池セル１ｄは、例えば、リチウムイオン電池もしくはニッケル水素電池等である。
【００１５】
また、除湿部１９には、電池パック１から電力が供給される冷却素子３と、冷却素子３によって冷却されて結露した水滴が付着する除湿用ヒートシンク１０と、が設けられている。さらに、除湿機３０は、除湿用ヒートシンク１０に印加される電圧を変換する電圧変換部を備えている。本実施の形態の除湿機３０は、上記電圧変換部として電圧変換基板２を備えている。
【００１６】
また、貯水部４は、取り込んだ空気から除湿部１９の除湿により発生した水滴（水分）を貯める箇所であり、水滴（図２に示す水２８）が入り込む貯水口９が形成された貯水タンク２１を備えており、貯水タンク２１は、貯水部４に着脱可能に設けられている。貯水タンク２１の内部には、貯水タンク２１の内部に溜まる水２８の水面の上昇に応じて上昇する浮き部材１６が設けられている。
【００１７】
また、電池パック１の収容部２０と貯水部４との間には、電池パック１及び電圧変換基板２と電気的に接続された遮断スイッチ部５や通電スイッチ部６が設けられており、さらに、除湿用ヒートシンク１０に温度センサ１１がネジ固定されている。
【００１８】
また、図１に示す除湿機３０において、除湿機３０の筐体２３における電池パック１の装着位置と反対側の側壁２３ａの内側には、除湿機３０の外部から空気を取り込む冷却用のファン１３が設けられており、さらに、ファン１３の内側にファン１３と隣接して放熱用ヒートシンク１２が設けられている。また、放熱用ヒートシンク１２の内側には放熱用ヒートシンク１２に隣接して冷却素子３及び除湿用ヒートシンク１０が設けられている。冷却素子３と除湿用ヒートシンク１０とは接触しており、冷却素子３と除湿用ヒートシンク１０とによって除湿機構部２２が構成される。
【００１９】
また、ファン１３の回転によって外部から取り込まれる空気の吸入口２３ｂが形成された側壁２３ａには、ヒューズ１４が取り付けられている。温度センサ１１はヒューズ１４と電気的に接続されており、さらに温度センサ１１は、電圧変換基板２や電池パック１と電気的に接続されている。
【００２０】
なお、電池パック１が装着される収容部２０および除湿機構部２２が配置された除湿部１９は、貯水部４の上方に配置されており、除湿機構部２２の除湿用ヒートシンク１０は、貯水部４の貯水口９の上方に配置されている。
【００２１】
ここで、除湿機３０における除湿の動作について説明する。図１に示すように、バッテリーである電池パック１は、除湿部１９に設けられた電圧変換基板２に電圧を印加する。そして、電圧変換基板２は、遮断スイッチ部５、通電スイッチ部６、温度センサ１１及びヒューズ１４を介して、冷却素子３および冷却用のファン１３に電力を供給する。これにより、冷却素子３は、除湿用ヒートシンク１０を冷却するとともに放熱用ヒートシンク１２によって放熱される。ファン１３は、除湿用ヒートシンク１０及び冷却素子３を冷却するとともに放熱用ヒートシンク１２も冷却する。なお、除湿用ヒートシンク１０が冷却素子３及びファン１３によって冷却されたことで除湿用ヒートシンク１０において結露が発生し、除湿用ヒートシンク１０に水滴が付着する。つまり、ファン１３によって取り込まれた空気は、除湿用ヒートシンク１０が冷却されているため、除湿用ヒートシンク１０で結露して除湿用ヒートシンク１０に水滴が付着する。このように除湿用ヒートシンク１０に水滴を付着させることで、除湿部１９で除湿が行われる。
【００２２】
そして、除湿用ヒートシンク１０が貯水部４の貯水口９の上方に配置されているため、結露して除湿用ヒートシンク１０に付着した水滴は、貯水口９に垂れて落ち、さらに貯水タンク２１内に滴下する。
【００２３】
また、ファン１３は、外部から空気を取り込むとともに、冷却素子３や除湿用ヒートシンク１０及び放熱用ヒートシンク１２を冷却している。そして、除湿部１９で除湿された空気は、排出口２３ｃから外部に排出される。または、後述するように電池パック１内を通って除湿部１９を介して排出口２３ｃから外部に排出される。
【００２４】
通電スイッチ部６は、貯水タンク２１が貯水部４に挿入されている時、貯水タンク２１の上面に設けられた突起部８が通電スイッチ部６の金具７を押し上げることで通電する。また、温度センサ１１は、除湿用ヒートシンク１０の過度な冷却を検知して電圧変換基板２の電力供給を遮断する。ヒューズ１４は電池パック１からの過電流を検知して電流を遮断する。
【００２５】
図２に示すように、貯水部４の浮き部材１６は、貯水タンク２１に水２８が所定量溜まると浮き上がり、遮断スイッチ部５の金具１５を押し上げ、遮断スイッチ部５を動作させる。すなわち、遮断スイッチ部５が動作すると、電池パック１からの電圧変換基板２への電圧の印加が遮断される。
【００２６】
以上のように、本実施の形態の除湿機３０は、着脱可能な電池パック１を装着しているため、充電切れの際には、充電が可能な場所まで除湿機３０を運ぶことなく設置場所にて電池パック１を交換することができる。これにより、除湿機３０を同一の設置場所に置きっ放しにして使用することができ、除湿機３０の使い勝手を向上させることができる。
【００２７】
また、電池パック１が着脱可能であるため、充電切れの際には、除湿機本体ごと交換しなければならないということはなく、電池パック１のみを交換することで同一の設置場所で再度除湿機３０を使用することができる。これにより、上記同様、除湿機３０の使い勝手を向上させることができる。なお、電池パック１は、繰り返して充電して使用可能であるため、バッテリーが本体に内蔵されている除湿機に比べてコストの低減化を図ることができる。
【００２８】
次に、除湿機３０における信号の流れを図３を用いて説明する。まず、電池パック１が遮断スイッチ部５、通電スイッチ部６、ヒューズ１４、温度センサ１１を経由して電圧変換基板２に電圧を入力する。そして、電圧変換基板２は、ファン１３及び除湿機構部２２に電力を供給する。なお、遮断スイッチ部５は、通常時（貯水タンク２１の水２８が満水ではない状態）はＯＦＦであり、貯水タンク２１内の浮き部材１６の上昇によってＯＮになり電圧を遮断する。
【００２９】
一方、通電スイッチ部６は、貯水タンク２１の上面に設けられた突起部８によって通常時（貯水タンク２１が貯水部４に装着されている状態）、ＯＮで通電している。そして、貯水タンク２１の取り外しによって貯水タンク２１の突起部８が取り除かれるとＯＦＦとなり電圧を遮断する。また、ヒューズ１４は、電池パック１から過電流が流れると作動し、電圧の印加を遮断する。さらに、温度センサ１１は、常時、除湿機構部２２（冷却素子３と除湿用ヒートシンク１０）の温度を監視しており、過度の温度低下を検知すると、電圧を遮断する。
【００３０】
次に、本実施の形態の除湿機３０における電池パック１および貯水タンク２１のそれぞれの着脱方向について説明する。
【００３１】
図１に示すように、電池パック１の着脱方向Ｃ１は、除湿機３０の垂直方向（設置方向Ａ）と直交（交差）する方向となる水平方向Ｂに平行な方向である。すなわち、除湿機３０の収容部２０において、電池パック１の着脱方向Ｃ１は、水平方向Ｂと平行な方向である。また、貯水タンク２１の着脱方向Ｃ２についても、除湿機３０の垂直方向（設置方向Ａ）と直交する方向となる水平方向Ｂに平行な方向である。すなわち、除湿機３０の貯水部４において、貯水タンク２１の着脱方向Ｃ２は、水平方向Ｂと平行な方向である。したがって、電池パック１の着脱方向Ｃ１は、貯水タンク２１の着脱方向Ｃ２と同じ方向であることが好ましい。
【００３２】
ここで、図４は、除湿機３０において、図１に示す貯水タンク２１を取り外した状態を示している。貯水タンク２１を取付けもしくは取外しする際には、除湿機３０の側壁２３ａに設けられたガイド部２７に沿って貯水タンク２１をスライドさせて取付けもしくは取外しを行う。
【００３３】
図４に示すように、上記貯水タンク２１を取外した状態では、金具７がフリーとなって自重で下降し、通電スイッチ部６がＯＦＦになる。これにより、電池パック１からの電力供給が遮断される。
【００３４】
一方、電池パック１を取り外す際には、電池パック１の両側面に設けられたラッチ１ａを両側から挟んで内側に押し込みつつ、収容部２０において電池パック１を図１に示す水平方向Ｂに沿って収容部２０から離れる方向に移動させることで、収容部２０から電池パック１を取り外すことができる。
【００３５】
また、電池パック１を収容部２０に装着する際には、収容部２０において電池パック１を水平方向Ｂに沿って収容部２０に入れ込む方向に移動させることで、収容部２０に装着することができる。ここで、電池パック１の収容部２０への装着が完了すると、電池パック１の外部接続端子（図示せず）と、図５に示す除湿機３０の収容部２０に設けられた端子１７とが電気的に接続する。
【００３６】
その際、収容部２０には、電池パック１をスライドさせる際の案内用のレール２０ａ（図５参照）が設けられており、このレール２０ａによって電池パック１をスライドさせながら着脱する。
【００３７】
なお、電池パック１の着脱方向Ｃ１が水平方向Ｂと平行な場合、このレール２０ａも収容部２０において水平方向Ｂと平行に設けられている。
【００３８】
また、電池パック１の着脱方向Ｃ１は、貯水タンク２１の着脱方向Ｃ２と同じ方向に限らず、貯水タンク２１の着脱方向Ｃ２と異なる方向であってもよい。例えば、電池パック１の着脱方向Ｃ１を、除湿機３０の設置方向Ａに対する上下方向（垂直方向であり、設置方向Ａと平行な方向）としてもよい。または、設置方向Ａに対して傾斜した斜めの方向であってもよい。
【００３９】
そして、電池パック１の着脱方向Ｃ１が、除湿機３０の設置方向Ａに対する上記上下方向であることにより、電池パック１の取出し・装着を容易に行うことができる。
【００４０】
なお、電池パック１の着脱方向Ｃ１が除湿機３０の設置方向Ａに対する上下方向である場合には、収容部２０において上記上下方向と平行な方向にレール２０ａが設けられている。さらに、電池パック１の着脱方向Ｃ１が除湿機３０の設置方向Ａに対して傾斜した斜めの方向である場合には、収容部２０において上記斜めの方向と平行な方向にレール２０ａが設けられている。
【００４１】
また、収容部２０に電池パック１を覆う蓋（図示せず）が設けられている場合には、レール２０ａは上記蓋に形成されていてもよい。
【００４２】
以上のように除湿機３０において、電池パック１の着脱方向Ｃ１が、貯水タンク２１の着脱方向Ｃ２と同じ方向であることにより、幅の狭い場所に除湿機３０を設置した場合においても、その設置場所で除湿機３０を移動させることなく電池パック１や貯水タンク２１の着脱を行うことができる。
【００４３】
また、電池パック１の着脱方向が、除湿機３０の設置方向Ａに対する上下方向（垂直方向であり、設置方向Ａと平行な方向）の場合に、幅の狭い場所などに除湿機３０を設置した状態であっても、その設置場所において、上方から電池パック１を交換することができる。さらに、電池パック１の着脱方向が、設置方向Ａに対して傾斜した斜めの方向であっても、上記同様、除湿機３０の設置場所において斜め上方から電池パック１を取出し、かつ装着することができる。
【００４４】
また、作業者が着脱し易いように電池パック１を配置することにより、電池パック１を着脱する際の貯水タンク２１からの水漏れを抑制することができる。
【００４５】
また、本実施の形態の除湿機３０の除湿部１９には、除湿機構部２２の除湿用ヒートシンク１０に印加される電圧を変換する電圧変換部として、電圧変換基板２が設けられている。この電圧変換基板２によって、除湿用ヒートシンク１０に適切な大きさの電圧が印加される。すなわち、電池パック１から除湿用ヒートシンク１０に印加される電圧を変換することができるため、電池パック１から印加される電圧の許容範囲を広げることができる。これにより、電動工具の電池パック１を使用することもできる。すなわち、除湿機３０に装着される電池パック１は、電動工具用の電池パック１であってもよい。これにより、電動工具用の電池パック１を代用できるため、除湿機３０の使い勝手を向上させることができる。ただし、電池パック１は、除湿機専用の電池パック１であってもよい。
【００４６】
また、除湿機３０では、電池パック１が装着される収容部２０および除湿機構部２２が配置された除湿部１９は、貯水部４の上方に配置されている。これにより、貯水部４における貯水タンク２１の水２８が満杯になり、仮に貯水タンク２１から水２８が漏れたとしても電池パック１には水２８がかかりにくい。これにより、電池パック１を故障させることを抑制することができる。
【００４７】
また、除湿機３０では、断面視または平面視において、電池パック１は、貯水口９よりも（貯水口９と比べて）、貯水部４の着脱方向にみて、筐体２３の中心よりも外側に配置されている。言い換えれば、電池パック１は、貯水口９よりも、貯水部４の着脱方向にみて、筐体２３の中心から遠い位置に配置されている。すなわち、電池パック１は、貯水口９より除湿機３０の端部寄りに配置されている。
【００４８】
これにより、除湿機３０の収容部２０に電池パック１を装着した際の除湿機３０の重心は、貯水口９よりも電池パック１側の位置となる。このように除湿機３０の重心が、貯水口９よりも電池パック１側の位置となることにより、除湿機３０を持ち運ぶ際に、貯水口９より電池パック１側の位置が低くなり易く、持ち運ぶ際の貯水口９からの水溢れを抑制することができる。
【００４９】
また、除湿機３０には、収容部２０と除湿部１９とを隔てる壁部２４が設けられており、壁部２４は、電圧変換基板２に隣接する縦壁２４ａと、遮断スイッチ部５及び通電スイッチ部６に隣接する水平壁２４ｂと、を含んでいる。なお、図１に示される本実施の形態の除湿機３０では、壁部２４のうちの水平壁２４ｂに開口部２４ｃが形成されており、この開口部２４ｃを介して収容部２０内の空気が貯水部４に向かって流れるようになっている。
【００５０】
ただし、水平壁２４ｂの開口部２４ｃは形成されていなくてもよく、縦壁２４ａ及び水平壁２４ｂに開口などの孔が全く形成されていないことで、収容部２０と除湿部１９とを完全に区画することができる。これにより、貯水タンク２１に水２８が溜まった状態で放置しても、電池パック１に湿気が伝わりにくい。その結果、湿気によって電池パック１が故障することを抑制することができる。
【００５１】
次に、図６及び図７を用いて除湿機３０の外観構造について説明する。
【００５２】
図６に示すように、除湿部１９の空気の吸入側と反対側の排出側の上部には電池パック１の収容部２０が設けられており、この収容部２０に電池パック１が装着される。本実施の形態の除湿機３０では、電池パック１が外部に露出するように装着される。すなわち、電池パック１の収容部２０は、縦壁２４ａと水平壁２４ｂとからなる壁部２４によって除湿機３０の本体内部と隔てられている。
【００５３】
なお、除湿機３０の筐体２３の電池パック１側の側壁２３ａは、電池パック１の内部を通過した空気を除湿部１９を介して外部に排出させる排出口２３ｃを備えている。
【００５４】
一方、図７に示すように、除湿機３０の筐体２３の電池パック１側と反対側の側壁２３ａは、外部から空気を取り込む吸入口２３ｂを備えている。
【００５５】
これにより、除湿機３０では、吸入口２３ｂから取り込んだ空気を排出口２３ｃから排出するようになっている。
【００５６】
次に、除湿機３０の内部における空気の流れについて説明する。
【００５７】
図８に示すように、除湿機３０に設けられた壁部２４の縦壁２４ａは、除湿部１９と収容部２０とを連通する第１通気口２５を有している。さらに壁部２４の水平壁２４ｂには、除湿部１９と収容部２０とを連通する開口部２４ｃが形成されている。そして、電池パック１には、壁部２４の縦壁２４ａの第１通気口２５に対向するように第２通気口１ｂが形成されている。つまり、縦壁２４ａの第１通気口２５は、電池パック１に形成された第２通気口１ｂと連通している。
【００５８】
また、電池パック１には、壁部２４の水平壁２４ｂの開口部２４ｃに対向するように第３通気口１ｃが形成されている。つまり、水平壁２４ｂの開口部２４ｃは、電池パック１に形成された第３通気口１ｃと連通している。開口部２４ｃが、本発明の第４通気口に該当する。
【００５９】
したがって、側壁２３ａの吸入口２３ｂから取り込まれた空気は、放熱用ヒートシンク１２および除湿機構部２２を通過した後、空気経路２６ａとして第１通気口２５および第２通気口１ｂを通って電池パック１の内部に進入し、空気経路２６ｂとして電池パック１の内部を通過する。さらに、空気経路２６ｃとして第３通気口１ｃおよび開口部２４ｃを通過し、通過後、除湿部１９を通って（筐体２３内に戻って）空気経路２６ｄとして排出口２３ｃを介して筐体２３の外部に排出される。
【００６０】
このように本実施の形態の除湿機３０では、除湿のために外部から吸入した空気を電池パック１内に通すことで、外部から吸入した空気を用いて電池パック１内の各電池セル１ｄを冷却することができる。その際、ファン１３によって冷却された後段の空気を用いて電池パック１内の各電池セル１ｄが冷却されるため、電池パック１を効果的に冷却することができる。さらに、除湿のために外部から吸入した空気を、除湿部１９を経由させ、冷却した後、電池パック１内に通すことで、効率的に電池パック１を冷却することができる。
【００６１】
なお、収容部２０に取り込まれた空気は、収容部２０が蓋で覆われていない場合には、電池パック１の外側を流れてそのまま排出されてもよい。この場合にも、空気の通過によって電池パック１を冷却することができる。
【００６２】
また、収容部２０に取り込まれた空気は、電池パック１の外側を流れ、その後、第３通気口１ｃおよび開口部２４ｃを通過し、通過後、除湿部１９を通って（筐体２３内に戻って）排出口２３ｃを介して筐体２３の外部に排出されてもよい。この場合にも、空気の通過によって電池パック１を冷却することができる。
【００６３】
また、本実施の形態の除湿機３０では、電圧変換基板２は、除湿用ヒートシンク（除湿部材）１０と壁部２４の縦壁２４ａの第１通気口２５との間の領域に配置されている。すなわち、除湿機３０の内部における空気の流れで見た場合、壁部２４の縦壁２４ａの風上側であり、かつ除湿機構部２２の直ぐ後段に電圧変換基板２が配置されている。
【００６４】
これにより、除湿機構部２２が設けられた除湿部１９で冷却された空気を用いて電圧変換基板２を冷却することができる。さらに、除湿のために外部から吸入した空気を用いて除湿機構部２２を効率的に冷却することができる。
【００６５】
次に、図９を用いて本実施の形態の変形例について説明する。
【００６６】
図９に示す変形例では、除湿機３０の筐体２３の空気を取り込む吸入口２３ｂから上記空気を外部に排出する排出口２３ｃに至る空気経路の何れかの場所に、脱臭部材が設けられている。上記脱臭部材は、例えば、脱臭ネット１８である。脱臭ネット１８は、脱臭フィルターとも呼ばれ、一例として、竹炭フィルターなどを用いることができる。
【００６７】
図９に示す除湿機３０では、脱臭ネット１８は、冷却用のファン１３の内側の位置であり、かつファン１３と放熱用ヒートシンク１２との間に設けられている。これにより、除湿機３０内に取り込んだ空気の除湿と同時に消臭も行うことができる。
【００６８】
なお、脱臭ネット１８は、除湿機３０内の空気経路において、排出口２３ｃの直ぐ風上側等に設けられていてもよい。
【００６９】
以上、本実施の形態の除湿機３０によれば、コードレスタイプの除湿機３０において、着脱可能な充電式の電池パック１を使用することにより、除湿機３０の使い勝手を向上させることができる。また、電動工具用の電池パック１を使用することも可能である。
【００７０】
さらに、貯水部４の貯水タンク２１から溢れた水２８が電池パック１に掛かることがないため、水２８の付着による電池パック１の故障を抑制することができる。また、設置場所から持ち運ぶことなく電池パック１の交換を行うことができ、除湿機３０の使い勝手をさらに向上させることができる。また、異なる電圧の電池パック１を併用することもでき、さらに脱臭機能を有したコードレスタイプの除湿機３０を提供することができる。
【００７１】
本発明は上記実施の形態に限定されるものではなく、その要旨を逸脱しない範囲で種々変更可能である。例えば、上記実施の形態では、電池パック１が除湿機３０の収容部２０に露出して装着する構造の除湿機３０を取り上げて説明したが、収容部２０に蓋などが装着されていて、電池パック１が露出しない構造の除湿機３０を採用してもよい。
【符号の説明】
【００７２】
１…電池パック、１ａ…ラッチ、１ｂ…第２通気口、１ｃ…第３通気口、１ｄ…電池セル、２…電圧変換基板（電圧変換部）、３…冷却素子、４…貯水部、５…遮断スイッチ部、６…通電スイッチ部、７…金具、８…突起部、９…貯水口、１０…除湿用ヒートシンク、１１…温度センサ、１２…放熱用ヒートシンク、１３…ファン、１４…ヒューズ、１５…金具、１６…浮き部材、１７…端子、１８…脱臭ネット（脱臭部材）、１９…除湿部、２０…収容部、２０ａ…レール、２１…貯水タンク、２２…除湿機構部、２３…筐体、２３ａ…側壁、２３ｂ…吸入口、２３ｃ…排出口、２４…壁部、２４ａ…縦壁、２４ｂ…水平壁、２４ｃ…開口部、２５…第１通気口、２６ａ，２６ｂ，２６ｃ，２６ｄ…空気経路、２７…ガイド部、２８…水、３０…除湿機
【図１】
2020195935.tif 000003
【図２】
2020195935.tif 000004
【図３】
2020195935.tif 000005
【図４】
2020195935.tif 000006
【図５】
2020195935.tif 000007
【図６】
2020195935.tif 000008
【図７】
2020195935.tif 000009
【図８】
2020195935.tif 000010
【図９】
2020195935.tif 000011